(57)【要約】【課題】本発明は印刷装置における色変換ルックアップテーブルの作成において、ＲＧＢＣＭＹ−プロセスブラックの色再現色空間を最大にすること、および、高階調性な出力画像を実現することを目的とする。【解決手段】色変換ＬＵＴの作成において、ＲＧＢＣＭＹ−プロセスブラックの色再現色空間を出力する色変換ＬＵＴ格子点列において、第１に有色彩インクとＫインクによる、最大色空間を出力する各インク組み合わせを求める手順と、第２に、求められたＫインクとそれに重なる有色彩インク量における明度もしくは濃度が等しくなるようにＫインクと有色彩インクに対する補色インク量を、印刷装置から出力した数種類のパッチの測定結果をもとに導き出し、ＣＭＹＫインクに色分解を行う手順とを特徴とする。【選択図】        図１
2004194035.tif 000002
【特許請求の範囲】
【請求項１】
少なくとも４色の（ＣＭＹＫ）表色インクを用いて記録を行うカラー印刷装置の色変換処理部に用いる、ＣＭＹ表色インクおよび無彩色インクＫの組み合わせを格納した色変換ルックアップテーブル（ＬＵＴ）の作成において、色変換ＬＵＴの作成の手順として、カラー印刷装置の再現可能な色空間の頂点におけるＬＵＴ格子点、Ｗ（紙白）、ＲＧＢＣＭＹ、およびプロセスブラックを出力する任意の格子点を決定し、各格子点における出力構成インク色を決定する手順と、Ｗ（紙白）−ＲＧＢＣＭＹ−プロセスブラックを結ぶ任意の各ＬＵＴ格子点列における構成インク色を決定する手順とを要し、以上の手順によって、カラー印刷装置の再現可能な出力色空間の最外郭を決定する
また、Ｗ（紙白）およびプロセスブラックを出力する格子点を結ぶ任意の各ＬＵＴ格子点列における構成インク色を決定する手順とを要する
さらに、任意の格子点を再現色空間内部のＬＵＴ格子点における構成インク色の決定に際しては、前記手順においてあらかじめ決定された再現可能な色空間の最外郭における任意のＬＵＴ格子点列およびＷ（紙白）およびプロセスブラックを出力する格子点を結ぶ任意の各ＬＵＴ格子点列における任意のＬＵＴ格子点上の構成インク色から補間手段により導出される構成インク色によって、任意のＬＵＴ内部格子点の出力を決定する色変換ルックアップテーブルの作成方法
前記色変換ルックアップテーブルの作成方法において、Ｗ（紙白）一ＲＧＢＣＭＹ−プロセスブラックを結ぶ各ＬＵＴ格子点列における構成インク色を決定する手順における、特にＲＧＢＣＭＹ−プロセスブラックを結ぶ各ＬＵＴ格子点列における構成インク色を決定する手順において、
ＲＧＢＣＭＹを表色する各ＣＭＹ有彩色インクもしくはＣＭＹのうち２色を混色したＲＧＢ有彩色インクに対して、無彩色インクであるＫインクのみを用いて、カラー印刷装置の出力色再現敵城が最大になるように、該当するＬＵＴ格子点列における有彩色インクおよび無彩色インクを決定する手段と、前記決定されたＬＵＴ格子点列における各格子点の出力構成インクのうち、Ｋインクおよび、Ｋインクと有彩色インク量から導出される明度を保存する条件の下に、有彩色インクにたいして補色となるインク色の補色インク色量が定義され、等価中性濃度グレイラインにおけるＣＭＹインク量の組み合わせに従う、補色インク色と重なる有彩色インク量、およびＫインク量を定義しそのインク組み合わせが持つ明度と、また、新たなＫインク量および新たな有彩色インク量のインク量組み合わせがもつ明度の合計が前記保存される明度に等しくなるように、ＣＭＹＫインク量をそれぞれ求め、再統合する手順とを要し、前記再統合されたＣＭＹＫインク量の合計が、該当するカラー印刷装置における所定の総インク載り量制限内に収まるように有彩色インク量およびＫインク量の調整を行う手段によって、上記条件を満たすＣＭＹＸインク量を決定することを特徴とする、カラー印刷装置の色再現空間領域を可能な限り最大にすること、および高階調性な出力結果を得ることを目的とした色変換ルックアップテーブルの作成方法。
【請求項２】
特許請求の範囲１において、Ｋインクと有彩色インク量の組み合わせから導出される濃度、たとえば、オプティカルデンシティ（ＯＤ，ＶＤ）が等量となる条件下で有彩色インクにたいして補色となるインクと補色インクに等量重なるＫインク量、等価中性濃度グレイラインにおけるＣＭＹインク量の組み合わせに従う、補色インク色と重なる有彩色インク量、および新たな有彩色インクと新たなＫインクにそれぞれ分解、統合する手順とを要し、各ＣＭＹＫインクの総量が、該当するカラー印刷装置における所定の総インク載り量制限内に収まるようにインク分解を行う手段とを要する、色変換ルックアップテーブルの作成方法。
【請求項３】
特許請求の範囲１、および範囲３において、ＫインクとＫインクと有彩色インク量の重なる量から導出される明度もしくは濃度は、Ｋインクと有彩色インクを重ね合わせたパッチをカラー印刷装置によって出力し測定した結果から、補間計算によって導き出されるものであり、もしくは、等価中性濃度（ＥＮＤ）グレイラインをカラー印刷装置によって出力し、そのパッチを測定した結果から、補間計算によって導き出されるものであり、等価中性濃度（ＥＮＤ）グレイラインとＫインクによって導出される明度もしくはオプティカルデンシティは等価中性濃度（ＥＮＤ）グレイラインとＫインクを組み合わせたパッチをカラー印刷装置によって出力し、そのパッチを測定した結果から、補間計算によって導き出されることを特徴とした色変換ルックアップテーブルの作成方法。
【請求項４】
特許請求の範囲１において、各ＣＭＹＫインク量は各色の面積率によって定義されることを特徴とした色変換ルックアップテーブルの作成方法。
【請求項５】
特許請求の範囲１において、Ｋインクと有彩色インク量の組み合わせから導出される明度をＫインクと有彩色インク量と補色インクの組み合わせに置換するための計算において、使用される補色インクの色によっては、使用される補色インク量がＫインクと等量であることで、等明度として判断することを特徴とした色変換ルックアップテーブルの作成方法。
【請求項６】
特許請求の範囲１において、該当のＬＵＴ格子点列に対して所定のＫインク入力開始格子点の位置の制限を定めておき、特許請求の範囲１に記載のＫインクとＫインクと有彩色インク量の組み合わせから導出される明度を保存する条件の下に、有彩色インクにたいして補色となるインクと補色インクに等量重なるＫインクと、等価中性濃度グレイラインにおけるＣＭＹインク量の組み合わせに従う、補色インク色と重なる有彩色インク量、新たな有彩色インク、および新たなＫインクにそれぞれ分解、再統合する手順において制限された格子点位置までにＫインク入力開始格子点を定義する手段を有することを特徴とする、色変換ルックアップテーブルの作成方法。
【請求項７】
特許請求の範囲１において、ＬＵＴ格子点列に対してあらかじめ定義されたＫインク量を補色インクとＫインクが混在するように置換した場合に、補色インク量はあらかじめ定義された有彩色インク畳もしくは（および）あらかじめ定義されたＫインク量をもとに任意のパラメータを持つ式によって決定されることを特徴とし、特許請求の範囲１に記載のＫインクとそれにと有彩色インク量の組み合わせから導出される明度を保存する条件の下に、有彩色インクにたいして補色となるインクと、有彩色インク、およびＫインクにそれぞれ分解、再統合することを特徴とする、色変換ルックアップテーブルの作成方法。
【請求項８】
特許請求の範囲１において、ＲＧＢＣＭＹ−プロセスブラックを結ぶ各ＬＵＴ格子点列における構成インク色を決定する手順において、有彩色インクに対して、無彩色インクであるＫインクのみを用いて、色再現領域が最大になるように、該当するＬＵＴ格子点列における有彩色インクおよび無彩色インクを決定する手段において、Ｋインクと有彩色インクを重ね合わせたパッチをカラー印刷装置によって出力し測定した結果から、色再現領域が最大になるように２次元空間におけるサーチを行うことによって決定すること、前記決定されたＫインクおよび有彩色インクの各組み合わせをＬＵＴ格子点に適用するために、Ｋインクおよび有彩色インクの各組み合わせが再現色空間内において再現色空間が存在する３次元空間においてその格子間距離が均等になるように、決定された各格子点間の距離をもとめ、その距離によって等間隔になるように再配分を行った結果をＬＵＴ格子点に分配させたインク組み合わせに対して、Ｋインクを補色インクとＫインクの組み合わせに置換を行う手順を特徴とする色変換ルックアップテーブルの作成方法。
【請求項９】
特許請求の範囲８において、ＲＧＢＣＭＹ−プロセスブラックを結ぶ各ＬＵＴ格子点列における構成インク色を決定する手順において、有彩色インクに対して、無彩色インクであるＫインクのみを用いて、色再現領域が最大になるように、該当するＬＵＴ格子点列における有彩色インクおよび無彩色インクを決定する手段において、Ｋインクと有彩色インクを重ね合わせたパッチをカラー印刷装置によって出力し測定した結果から、プロセスブラックから最大彩度色までの彩度値をプロセスブラックを起点にして求め、また、プロセスブラックから最大彩度色までの明度値もしくはＯＤ値をもとめ、明度値もしくはＯＤ値をＬＵＴ格子点間隔数で均等に分割し、ターゲット明度、もしくは濃度とし、各ターゲット濃度における、最大彩度を出力する有彩色インクおよび無彩色インクを決定する
前記手順によって決定されたＫインクおよび有彩色インクの各組み合わせをＬＵＴ格子点に適用するために、決定されたＫインクおよび有彩色インクの各組み合わせが再現色空間内において再現色空間が存在する３次元空間においてその格子間距離が均等になるように、前記決定されたインク組あわせにおける互いの距離をもとめ、その距離によって等間隔になるように再配分を行った結果をＬＵＴ格子点に分配させたインク組み合わせに対して、Ｋインクを補色インクとＫインクの組み合わせに置換を行う手順を特徴とする色変換ルックアップテーブルの作成方法。
【請求項１０】
特許請求の範囲１において、ＲＧＢＣＭＹ−プロセスブラックを結ぶ各ｍ格子点列における構成インク色を決定する手順において、特許請求の範囲１記載の手順によって決定されたＣＭＹＫ各インク量をＬＵＴ格子点に適用するために、決定されたＣＭＹＫ各インク量における再現色空間内において再現色空間が存在する３次元空間上の座標位置より、再現色空間内において再現色空間が存在する３次元空間において、ＲＧＢＣＭＹＷ−Ｂｋ上における各彩度色出力格子点とＢｋ出力格子点を端点とする格子点列において、各格子点間距離が均等になるように、前記決定されたＣＭＹＫ各インク量における、互いの距離をもとめ、その距離によって等間隔になるようにＣＭＹＫ各インクを補間処理によって求め、ＬＵＴ格子点に分配を行う手順を特徴とする、カラー印刷装置の色再現空間領域を可能な限り最大にすること、ＬＵＴ格子点出力結果は色再現空間内において可能な限り均等に配置されること、および高階調なＬＵＴ出力結果を得ること、を目的とした色変換ルックアップテーブルの作成方法。
【発明の詳細な説明】
【０００１】
【発明の属する技術分野】
本発明は、少なくとも４色の異なるＣＭＹＫ表色インクを用いて記録を行うカラー印刷装置の色変換処理部に用いる、入力信号に対してＣＭＹ表色インクおよび無彩色インクＫを出力する、各インクの出力値を格納した色変換ルックアップテーブルの作成に関する。
【０００２】
【発明が解決しようとする課題】
カラー印刷装置において、ＣＭＹＫ出力値を出力するための、入力信号に対する色変換ルックアップテーブル（ＬＵＴ）は、デバイス依存なＲＧＢ信号値を入力値とし、その出力色空間はモニタやＰＣにおけるアプリケーションからの入力信号であるＲＧＢ信号値に対して、独立している。入力信号ＲＧＢに対して、等色なプリンタ出力を得るために、カラー印刷装置は、入力信号ＲＧＢ値に対して等色なデバイス依存ＲＧＢを出力するための手段をもつ。
【０００３】
前記入力ＲＧＢ信号値をデバイス依存ＲＧＢ値に変換する手段と、デバイス依存ＲＧＢ値をＣＭＹＫ出力値に変換する色変換ＬＵＴによって、入力ＲＧＢ信号値をＣＭＹＫ出力値に変換するような構成を持つカラー印刷装置における、デバイス依存ＲＧＢ値をＣＭＹＫ出力値に変換する色変換ＬＵＴを作成するにおいて、ＲＧＢＣＭＹ−プロセスブラックを結ぶ各ＬＵＴ格子点列における構成インク色を決定する手順において、ＲＧＢＣＭＹを表色する各ＣＭＹもしくはＣＭＹのうち２色を混色した有彩色色インクに対して、有彩色色インクとＫインクおよび有彩色色インクにたいして補色インクとなる３つのインク系の組み合わせにより求まるが、従来、各格子点におけるＫインク量および下色除去量の決定は、ＣＭＹインク量をパラメータとする関数による計算などで求められた。上記色変換ルックテーブルを用いた色変換処理における、色変換ルックアップテーブルの作成において、各格子点におけるＫインク量および下色除去量の決定は、各ＣＭＹの最小値もしくはＫインク量をパラメータとする関数で求められために、Ｋインク量の制御が難しく、明度の高い出力に対して、下色除去関数によって求められたＫインク量によっては、出力画像に対して粒状感を生じさせ、出力画像の画像品質を劣化させる原因となっている。
【０００４】
また上記下色除去関数を用いたり、マスキング計算方法によって作成された色変換ＬＵＴや、３次元のプリンタモデル色再現空間から、Ｌ＊ａ＊ｂ＊を用いて四面体補間等の３次元補間を行い、所望のＣＭＹＫインク量をサーチするような方法では、莫大な計算時間が必要な上、出力結果の階調性にばらつきが生じるなどの問題があり、カラー印刷装置における出力色空間を必ずしも最大に再現しているとは言えず、入力信号であるＲＧＢ信号色空間に対して十分な色再現性をもつとはいえない場合があった。
【０００５】
また、Ｋインク自体の最大濃度が薄い瘍合、プロセスブラックにＫインクのみの最大出力値をおいた場合には、プロセスブラックよりも、周りの有彩色色インクとＫインクおよび有彩色色インクにたいして補色インクとなる３つのインク系の組み合わせによる出力濃度のほうが高くなり、カラー印刷装置に対してその出力色空間に、ひずみを生じさせ、出力画像に擬似輪郭を生じさせるなどの問題があった。
【０００６】
本発明は、上記の課題を解決するものであって、色変換ルックアップテーブルの作成において、通常、ＣＭＹ３色インクからＵＣＲ処理によって墨加刷を行うためのＫインク量をもとめるマスキング計算等によらず、またＬａｂといった３次元空間の立体的な補間処理といった複雑な計算処理にもよらない、カラー印刷装置から出力する簡易な数種類の印刷結果をもとに、最高２次元の補間を用いて、最初にＫインクと有彩色インク色によってカラー印刷装置の再現色空間を最大にするインク色の組み合わせを獲得し、可能な限りその再現色空間を保持しながら、明度、もしくは濃度を保存することを条件にＫインクを補色インク色に置換することによって、色変換ＬＵＴにおける、ＲＧＢＣＭＹ−プロセスブラックを結ぶ格子点列に対して階調性が高く、かつ最大の再現色空間を提供することを実現することを目的とした、カラー印刷装置における色再現性の高い高品質な画像出力を実現する色変換ＬＵＴ格子点のＣＭＹＫインク決定方法である。
【０００７】
【課題を解決するための手段】
上記の目的を達成するために、本発明では、入力ＲＧＢ信号値をデバイス依存ＲＧＢ値に変換する手段と、デバイス依存ＲＧＢ値をＣＭＹＫ出力値に変換する色変換ＬＵＴによって、入力ＲＧＢ信号値をＣＭＹＫ出力値に変換するような構成を持つカラー印刷装置における、デバイス依存ＲＧＢ値をＣＭＹＫ出力値に変換する色変換ＬＵＴを作成するにおいて、３原色入力信号レベルにおいて、ハイライトからシャドウ部へと濃度変化する色を表色する任意の格子点群の連なりをひとつの格子点列として定義し、カラー印刷装置における出力色再現空間を最大にするＣＭＹＸインク色の組み合わせとして、ＲＧＢＣＭＹを出力する各インク組あわせ（有彩色インク色）と、無彩色インクであるＫインクのみの組み合わせによる出力色再現空間を最大にするように最適化をおこない、Ｋインクと有彩色インク色の決定を行う。ＣＭＹＸインク量を各格子点に対して定義する。
【０００８】
次に、定義された格子点列に対して、Ｋインクの入力開始位置に対してＫインクのドット粒状性が判別しにくくなることを条件に、有彩色インク色に対して補色成分であるＣＭＹ各インク入力限界量を求め、前記定義されたＫインクと有彩色インク色の組み合わせに対して、補色成分であるＣＭＹ各インク入力限界量までは、Ｋインクと補色成分インクの完全置換を行う。
【０００９】
前記Ｋインクと補色成分インクの置換においては、Ｋインクと有彩色インク色における明度をパッチの測定結果や計算によりもとめ、これを等量となるように、補色成分インクと有彩色インク色における明度が上記明度を等量とするように、補色成分インク量をもとめ、Ｋインクと完全に置換をおこなう。また、Ｋインクと補色成分インク、有彩色インク色の混在する格子点については、Ｋインクと有彩色インク色のみの組み合わせにおける明度が、補色成分インクによって等価中性濃度グレイラインにおけるＣＭＹインクの組み合わせと、それに等量重なるＫインク量における明度と、新たに求められるＫインクと有彩色インク量における明度との合計と等しくなるように、Ｋインクと有彩色インク色を組み合わせたパッチ、および、等価中性濃度グレイラインのパッチの測定結果から導かれる計算によって、Ｋインクと補色成分インク、有彩色インク色の組みあわせ決定するが、その際には階調性の滑らかさと出力色再現空間の大きさを可能な限り保持する条件のもとで、新たに求めるＫインク量を前記手段において、あらかじめ決定されたＫインクと有彩色インク色のみで色再現空間を決定した時のＫインクの使用量に可能な限り実現するように定義する、上記手順を特徴とする色変換ＬＵＴ作成方法。
【００１０】
（作用）
本発明によって、入力ＲＧＢ信号値をデバイス依存ＲＧＢ備に変換する手段と、デバイス依存ＲＧＢ値をＣＭＹＫ出力値に変換する色変換ＬＵＴによって、入力ＲＧＢ信号値をＣＭＹＫ出力値に変換するような構成を持つカラー印刷装置において用いられる、色変換ルックアップテーブルの作成において、任意の定義された格子点列に関して少なくとも４色の表色を行うインク量を用いて、簡易な各色インクを組み合わせたパッチを印刷し、それから得られる明度、もしくは濃度値、彩度値を用いて、カラー印刷装置の再現可能な出力色空間における、ＲＧＢＣＭＹの各色からプロセスブラックを結ぶＬＵＴ格子点における出力色再現空間を可能な限り最大にすることを実現し、カラー印刷装置における階調再現性の良い、また色再現性の高い高品質な画像出力を実現する色変換ルックアップテーブルを作成することを実現する。
【００１１】
【発明の実施例の説明】
以下、実施例にしたがって本発明を詳細に解説する。
【００１２】
（第１の実施例）
入力信号をＲＧＢ３元色信号とし、出力インクをＣＭＹＫとするカラー印刷装置において、ＲＧＢ信号を変換するルックアップテーブルは、格子点間隔１６、格子点数１７、各色８ピット（０〜２５５）データで構成されるルックアップテーブルとする。
【００１３】
本実施例では、図１に示されるようなカラー印刷装置の出力色空間を想定し、上記色変換ルックアップテーブルを入力ＲＧＢ信号備に対して、それぞれ出力色を対応付けしたものについて、本発明を適用する。また、代表例としてＣ（シアン）からプロセスブラックまでの出力ＬＵＴ格子点列ににおける構成インクの決定について、以下、図４、図５、図６、図７に示されるフローチャートに沿って本発明を説明する。
【００１４】
ＭＹＲＧＢ各色からプロセスブラックまでの構成インク量の決定も同様の手順によって決定される。
【００１５】
図４に示されるステップ４０１において、図１に示されるＣ（シアン）からＢｋ（プロセスブラック）を結ぶ有彩色一無彩色曲線を表色するルックアップテーブルの格子点群を、本発明処理を施す格子点列として定義する。
【００１６】
あらかじめ用意されたＣインクとＫインクの各インク色を組み合わせ、印刷したパッチより、２色のインク量の組み合わせに対応付けられた明度、もしくは濃度、および彩度量をもとめ、表１に示されるようなデータ群を作成する。
【００１７】
ステップ４０２において、プロセスブラックとＣ間の明度（濃度）差を求め、ＬＵＴ格子間隔数で分割し、１格子間の明度（濃度）変遷量を求める。
【００１８】
ステップ４０３において、各格子点に対して、ターゲットとする明度もしくは濃度を定義する。
【００１９】
ステップ４０４において、ステップ４０３において定義されたターゲット明度もしくは濃度条件を満たし、かつカラー印刷装置の所定の総インク載り量制限を満たし、かつ彩度量が最大であるＣインクとＫインクのインク量の組み合わせを表１におけるデータ群より求める。
【００２０】
ステップ４０５において、ステップ４０４の処理を、ステップ４０３において定義された格子点すべてに対して実行し、ＣインクとＫインクの各インク色の組み合わせをすべての格子点に対して定義する。その結果例を図８にて示す。
【００２１】
次に図５にて示されるフローチャートにより、上記ステップ４０４において定義されたＣインク量ＣｐとＫインク量Ｋｐの各インク色の組み合わせに対してＫインクと補色インクの完全置換を行う。
【００２２】
本実施例においては、ステップ５０１において、注目する格子点上のＣインク量ＣｐとＫインク量Ｋｐを獲得する。
【００２３】
さて、Ｃインクに対する補色インクは、Ｍ，Ｙインクである。
【００２４】
Ｍ，Ｙインクを組み合わせたものは赤Ｒｅｄであるから、ある任意のＹＭインクを組み合わせた有彩色Ｒインクとして、１色のインクであるかのように制御することが可能である。
【００２５】
ここで、一般にＣインクＭインクＹインクの各インク色を組み合わせ、無彩色を実現するインクの組み合わせを等価中性濃度（ＥＮＤ）グレイラインと称する。本実施例においては、等価中性濃度（ＥＮＤ）グレイラインを構成するＣＭＹ各インクのセットとＫインク量の組み合わせを印刷したパッチより、等価中性濃度（ＥＮＤ）グレイラインを構成するＣＭＹ各インクのセットとＫインク量の組み合わせに対応付けられた明度、もしくは濃度をもとめ、表２に示されるようなデータ群を作成する。
【００２６】
また、本実施例においては、補色色成分としてＣＭＹの内、２色を混色させた２次色が用いられる場合において、その有彩色Ｒインクは、等価中性濃度グレイラインにおけるＣＭＹインクの組み合わせの２色を用いることを特徴とする。
【００２７】
ステップ５０２において、表２におけるデータ群からＣインク量ＣｋとＫインク量Ｋｐにおける、明度もしくは濃度が求められる。
【００２８】
また、ここで、Ｃ−プロセスブラックへのＫインクの入力について、Ｃ−プロセスブラック上で、ハイライト（シアン色）からプロセスブラックへの明度の変遷を鑑みると、ハイライト部のような明度の高い部分にＫインクのドットが存在するとＫインクのドットが視覚的に目立ちやすく、ざらつき感、粒状性というノイズとなって感じられるため、高精細な画像再現を行うためには好ましくない。よって、Ｋインクのドットが視覚的に分かりにくい明度までは、補色インクのみをを用いる必要性がある。
【００２９】
よって、ステップ５０３において、上記定義されたＬＵＴ格子点列上のＫインクドットの粒状感を感じない明度あるいは濃度を、ステップ５０２において求められた、注目格子点上における明度、あるいは濃度、もしくは置換される補色Ｒインク量によって比較し、Ｃインク量ＣｋとＫインク量Ｋｐを表２のデータ群を用いて補色ＲインクＲｐと補色ＲインクＲｐと対になるＥＮＤグレイラインにおけるＣインクＣｎに置換をおこなう以下のステップ５０４、５０５、５０６、５０７の処理を注目格子点を移動し、上記定義されたＬＵＴ格子点列上のＫインクドットの粒状感を感じない明度あるいは濃度もしくは置換される補色Ｒインク量Ｒｍを満たすまで繰り返す。
【００３０】
ステップ５０４において、ステップ５０３において保存されたＣインク量Ｃｐｌより、修正Ｃインク量Ｃｐ２＝Ｃｐ＋Ｃｎがもとめられる。
【００３１】
ステップ５０５において、注目格子点上のＣＭＹＫ構成インク量は、ステップ５０４において求められたＣインク量Ｃｐ２、補色Ｒインク量Ｒｐより、Ｙ，ＭインクがそれぞれＹｐ＝Ｒｐ（ｙ）、Ｍｐ＝Ｒｐ（ｍ）、およびＫ＝０がもとめられる。
【００３２】
ステップ５０６において、ステップ５０５において求められた、ＣＭＹＫインク量について、カラー印刷装置の所定の総インク載り量制限を満足しているか否かを判断し、ステップ５０７において、インク打ち込み量制限を上回っていれば、有彩色インク量である、Ｃインク量Ｃｐ２を、インク打ち込み量制限まで減少させ修正する。
【００３３】
次にステップ５０３において、上記定義されたＬＵＴ格子点列上のＫインクドットの粒状感を感じない明度あるいは濃度もしくは置換される補色Ｒインク量を満たされたと判断された場合において、以降の注目格子点上のＣＭＹＫ構成インク量は図６に示されるフローチャートにおいて、求められる。
【００３４】
ステップ６０１において、注目する格子点上のＣインク量ＣｐとＫインク量Ｋｐを獲得する。
【００３５】
また、上記定義されたＬＵＴ格子点列上のＫインクドットの粒状感を感じない明度あるいは濃度もしくは置換される補色Ｒインク量が、図６に示されるフローチャートの処理によって求められており、この補色Ｒインク量を最大補色Ｒインク量としてＲｍと定義する。
【００３６】
ステップ６０２において、最大補色Ｒインク量Ｒｍより、注目格子点における補色Ｒインク量Ｒｐを、Ｃインク量Ｃｐを入力値とする、任意の式
Ｒｐ＝ｆ（Ｃｐ、Ｒｍ）
によって定義する。
【００３７】
本実施例における、式ｆ（Ｃｐ、Ｒｍ）は、
Ａを任意の係数とする（例Ａ＝Ｃｐ／２５５）
Ｒｐ＝Ａ＊Ｒｍのようなものであって良い。
【００３８】
ステップ６０３において，表２におけるデータ群から、ステップ６０２において求められた補色Ｒインク量Ｒｐと、補色Ｒインク量ＲｐによってＣインクＣｒｐがステップ５０３と同様に求められる。また、前記補色Ｒインク量ＲｐとＣインクＣｒｐに重なる最大Ｋインク量Ｋｌｉｍも求める。
【００３９】
ステップ６０４において，表１におけるデータ群からＣインク量ＣｐとＫインク量Ｋｐにおける、明度（もしくは濃度）が求められる。これをターゲット明度（濃度）とする。
【００４０】
ステップ６０５において、補色Ｒインク量Ｒｐと重なるＣインクＣｒｐおよびＫｌｉｍを限界にして、Ｋインク量Ｋｒｐにおける明度もしくは濃度ＤｒｐをＥＮＤグレイラインとＫの重なり合う量において表２より求める、また、有彩色インク量Ｃｎにおける明度もしくは濃度との合計がターゲット濃度と等価になるかどうかを判断する。
【００４１】
ＫインクＫｒｐがＫｌｉｍ以上必要であると判断された場合には、補色Ｒインク量Ｒｐと重なるＣインクＣｒｐおよびＫｌｉｍにおける明度もしくは濃度を表２より求め、またＫインクとＫｌｉｍと差分量Ｋｋと有彩色インク量Ｃｎにおける明度もしくは濃度を表１より求め、その合計がターゲット濃度と等価になるＣインク量ＣｎとＫインク量Ｋｋを求める。
【００４２】
ここで、再統括されるインク量はそれぞれ
Ｃインク量をＣｐ２＝Ｃｎ＋Ｃｒｐ
Ｋインク量をＫ＝Ｋｒｐ＋Ｋｋ
Ｙ，Ｍインク量を、補色Ｒインク量Ｒｐの各ＹＭインク量となる。
【００４３】
ステップ６０７において、ステップ６０５において求められた、ＣＭＹＫインク量について、カラー印刷装置の所定の総インク載り量制限を満足しているか否かを判断し、インク打ち込み量制限を上回っていれば、ステップ６０５において総Ｋインク量をＫインク量Ｋｐを最大として増加させ、インク打ち込み量制限を満足するまで繰り返す。
【００４４】
総Ｋインク量をＫｐまで増加させても解が得られなかった場合は、補色インク量Ｒｐをデクリメントし、Ｋインク量を再度ステップ６０６以下の処理によって求める。
【００４５】
ステップ６０８において、注目する格子点におけるＣＭＹＫインク量を、上記ステップにより求められた、
Ｃインク量をＣｐ２＝Ｃｎ＋Ｃｒｐ
Ｋインク量をＫ＝Ｋｒｐ＋Ｋｋ
と定義する。
【００４６】
Ｙ，Ｍインク量を、補色Ｒインク量Ｒｐの各ＹＭインク量で定義する。
【００４７】
ステップ６０９において、残りのＬＵＴ格子点について、上記ステップ６０１〜６０６の処理を行うことにより、すべてのＬＵＴ格子点において、ＣＭＹＫインク色分解を完成させる。その結果例を図９にて示す。
【００４８】
さらに、上記手順によって求められた前記決定された各パラメータにおけるＣＭＹＫ各インク量において、前記選択されたＬＵＴ格子点上のインク組み合わせより、ＬＵＴ格子点にＣＭＹＫインク量を定義するための処理について、ＬＵＴ格子点における出力が、カラー印刷装置の色再現空間において３次元的に均等になるように修正を施す処理を、図７に示されるフローチャートにしたがって説明する。
【００４９】
上記手順によって求められた前記決定された各パラメータにおけるＣＭＹＫ各インク量におけるカラー印刷装置においてパッチ出力し、測色器によって測色を行い色再現空間内における各３次元座標値を求めておく。
【００５０】
ステップ７０１において、色変換ＬＵＴにおけるＣ−Ｂｋ上におけるＬＵＴ格子点におけるＣＭＹＫ各インク量に対する、色再現空間内における各３次元座標値が定義される。この時、ＬＵＴ格子点列における、各ＣＭＹＫインク量について、有彩色インクと補色インク量で定義される領域と、有彩色インクと補色インク量、およびＫインクで定義される領域、有彩色インクとＫインク（補色インク量＝０）で定義される領域に分割し、各領域に関してその境界における各ＣＭＹＫ各インク量は保存される。
【００５１】
ステップ７０２において、Ｂｋ点を原点０とし、３次元間距離Ｌ（０）＝０と定義する。
【００５２】
ステップ７０３において、前記ＬＵＴ格子点数Ｎ＝１７において、隣合う点（ｎ−１）における３次元間距離Ｌ（ｎ）をそれぞれ求める。
【００５３】
３次元空間がＬａｂ空間であった場合、次に示される式によって求められる。
【００５４】
Ｌ（ｎ）＝√（Ｌ＊（ｎ）−Ｌ＊（ｎ−１））２＋（ａ＊（ｎ）−ａ＊（ｎ−１））２＋（ｂ＊（ｎ）−ｂ＊（ｎ−１））２
ステップ７０４において、Ｂｋ点を原点とし、Ｃまでの距離Ｌ（Ｃ）を、ステップにおいて求められた各点間の３次元間距離の総和として求める。
【００５５】
Ｌ（Ｃ）＝ΣＬ（ｎ）  （ｎ＝０…Ｎ）
ステップ７０５において、有彩色インクと補色インク量で定義される領域に存在するＣＭＹＫ各インク量より求められる、色再現空間内における各３次元座標値より、有彩色インクと補色インク量で定義される領域間の距離Ｌ（Ｇ）を求める。
【００５６】
また、ステップ７０４において求められたＢｋ点を原点とし、Ｃまでの距離Ｌ（Ｃ）に対する比率を求める。
【００５７】
ステップ７０６において、有彩色インクと補色インク量、およびＫインクで定義される領域に存在するＣＭＹＫ各インク主より求められる、色再現空間内における各３次元座標値より、有彩色インクと補色インク量、およびＫインクで定義される領域間の距離Ｌ（ＧＫ）を求める。
【００５８】
また、ステップ７０４において求められたＢｋ点を原点とし、Ｃまでの距離Ｌ（Ｃ）に対する比率を求める。
【００５９】
ステップ７０７において、有彩色インクとＫインク（補色インク量＝０）で定義される領域に存在するＣＭＹＫ各インク量より求められる、色再現空間内における各３次元座標値より、有彩色インクとＫインク（補色インク量＝０）で定義される領域間の距離Ｌ（ＢＫ）を求める。
【００６０】
また、ステップ７０４において求められたＢｋ点を原点とし、Ｃまでの距離Ｌ（Ｃ）に対する比率を求める。
【００６１】
ステップ７０８において色変換ＬＵＴにおけるＣ−Ｂｋ格子点列における各格子点に対して、ステップにおいて求められた、各領域間の距離と距離Ｌ（Ｃ）の比例にしたがって、各領域間を再現するＬＵＴ格子点数を配分する。
【００６２】
ステップ７０９において、ステップにおいて各領域に対して配分された各ＬＵＴ格子点において、各領域の境界となるＬＵＴ格子点に対して、各領域の境界となるＣＭＹＫインク量を定義する。
【００６３】
ステップ７１０において、各領域間の距離として定義された距離（Ｇ）、Ｌ（ＧＫ）、Ｌ（ＢＫ）を配分された格子点間数で等分し、定義された各領域間を再現するＬＵＴ格子点間の距離を求める。
【００６４】
ステップ７１１において、Ｃ−Ｂｋ格子点列において、Ｂｋを原点として、注目ＬＵＴ格子点をＢｋＬＵＴ格子点から１格子点Ｃ側にシフトした格子点に定義する。
【００６５】
ステップ７１２において、注目ＬＵＴ格子点における原点Ｂｋからの格子点間距離を、ステップ７１０において求められた各領域におけるＬＵＴ格子点間距離より求める。
【００６６】
ステップ７１３において、定義された注目ＬＵＴ格子点における原点Ｂｋからの格子点間距離を間にはさむステップ７０１において定義されたＣＭＹＫインク量の組みあわせおよびその原点Ｂｋからの各距離より、注目ＬＵＴ格子点におけるＣＭＹＫインク量を距離に基づく線形補間処理により強める。
【００６７】
ステップ７１４において、注目格子点をひとつＣ側にシフトする
ステップ７１５において、Ｃ−Ｂｋ格子点列におけるすべての格子点において、ＣＭＹＫ各インク量を定義するまでステップからステップの処理を繰り返す。以上、図４から図７までに示されたフローチャートによる処理を行うことにより、定義されたＬＵＴ格子点列に関して、カラー印刷装置の出力再現色空間を可能な限り最大であり、および階調再現性のよい画像出力を実現する色変換ルックアップテーブルを作成することを実現する。
【００６８】
（その他の実施例２）
上記実施例１について、カラー印刷装置内にて用いられる色変換ルックアップテーブルの作成についてのみならず、カラー印刷装置に接続されたホストコンピュータ内において、色変換処理を行った画像出力結果をカラー印刷装置に送るようなシステムにおいて、ホストコンピュータ内において色変換に用いられるルックアップテーブルの作成においても本発明を適用できることは明らかである。
【００６９】
【発明の効果】
以上説明したように本発明によって、カラー印刷装置において用いられる、色変換ルックアップテーブルの作成において、任意の定義された格子点列に関して少なくとも４色の表色を行うインク量を用いて、あらかじめ、Ｋインクおよび有彩色インクを用いて最大再現色空間を定義し、ハイライトからＫインクのドット粒状性を判別しにくくなる明度、もしくは濃度まで有彩色インクに対する補色インクによって、あらかじめ定義されたＫインク量を、Ｋインク量と重なり合う有彩色インクにおける明度もしくは濃度を保存することを条件に完全に置換することを第１の特徴とし、Ｋインクのドット粒状性を判別しにくくなる明度、もしくは濃度からプロセスブラック間においては、補色インク量に対して簡単な計算式による制御を行い、あらかじめ定義されたＫインク量と有彩色インクにおける明度もしくは濃度を保存することを条件に、補色インク量、および新たなＫインク量を求めることを第２の特徴とする、注目ＬＵＴ格子点におけるＣＭＹＫインク量を定義することによって、色再現空間が最大でかつ階調再現性のよい画像出力を実現するための色変換ルックアップテーブルを作成することを実現する。
【図面の簡単な説明】
【図１】カラー印刷装置の出力色空間と色空間を再現するためのルックアップテーブル格子点の関係を示した図である。
【図２】実施例においてＣインクとＫインクの各インク色を組み合わせ、印刷したパッチより、２色のインク量の組み合わせに対応付けられた明度、もしくは濃度、および彩度量を示すデータ群。
【図３】等価中世濃度（ＥＮＤ）グレイラインを構成するＣＭＹ各インクのセットとＫインク量の組み合わせ印刷したパッチより、等価中性濃度（ＥＮＤ）グレイラインを構成するＣＭＹ各インクのセットとＫインク量の組み合わせに対応付けられた明度、もしくは濃度を示すデータ群（表２）。
【図４】本発明の処理の流れを示したフローチャートである。
【図５】本発明の処理の流れを示したフローチャートである。
【図６】本発明の処理の流れを示したフローチャートである。
【図７】本発明の処理の流れを示したフローチャートである。
【図８】本実施例においてＣインクとＫインクによる、最大色再現空間を実現するＬＵＴ格子点上のＣインクとＹインクの組み合わせを示した図である。
【図９】ＣとＫインクによる、ＬＵＴ格子点上のデータを本発明を適用してＣＭＹＫにインク色分析を行った結果を示した図である。
【図１】
2004194035.tif 000003
【図２】
2004194035.tif 000004
【図３】
2004194035.tif 000005
【図４】
2004194035.tif 000006
【図５】
2004194035.tif 000007
【図６】
2004194035.tif 000008
【図７】
2004194035.tif 000009
【図８】
2004194035.tif 000010
【図９】
2004194035.tif 000011